(57)【要約】【課題】複数枚のテンプレートや定規等を使用することなく、複数個の図形を効率よく描くことができる製図用具を提供することを目的とする。【解決手段】アクリル板、ＡＢＳ樹板等の合成樹脂材できたベース板と、このベース板に形成された、丸形状、楕円形状、四角形状等の所定の図形を描くことができる大きさの異なる複数個の透孔と、この複数個の透孔の周辺部位に、三角形、四角形、五角形等の図形の頂点位置を識別力を有した状態で設けられた図形識別記号とで製図用具を構成する。【選択図】図１
2008087450.tif 000002
【特許請求の範囲】
【発明の詳細な説明】
【技術分野】
【０００１】  本発明は、各種の図形等を描くことができるテンプレートや定規等の製図用具に関する。
【背景技術】
【０００２】  従来、各種の文字、記号或いは図形に対応して樹脂プレートに穿孔部を形成して構成するテンプレートや定規等が製図用具として用いられている。【０００３】  しかしながら、製図する際、円形、楕円等のそれぞれの形状が型抜きされたテンプレートを使用するので、描きたい図形に対応するテンプレートや定規を複数枚用意する必要があるという欠点があるとともに、複数の図形を描くのに多大な時間がかかり面倒で煩わしいいう欠点があった。
【発明の開示】
【発明が解決しようとする課題】
【０００４】  本発明は以上のような従来の欠点に鑑み、複数枚のテンプレートや定規等を使用することなく、複数個の図形を効率よく描くことができる製図用具を提供することを目的とする。【０００５】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】  上記目的を達成するために、本発明は、アクリル板、ＡＢＳ樹板等の合成樹脂材できたベース板と、このベース板に形成された、所定の図形を描くことができる大きさの異なる複数個の透孔と、この複数個の透孔の周辺部位に、三角形、四角形、五角形等の図形の頂点位置を識別力を有した状態で設けられた図形識別記号とで製図用具を構成している。
【発明の効果】
【０００７】  以上の説明から明らかなように、本発明にあっては次に列挙する効果が得られる。【０００８】  （１）アクリル板、ＡＢＳ樹板等の合成樹脂材できたベース板と、このベース板に形成された、所定の図形を描くことができる大きさの異なる複数個の透孔と、この複数個の透孔の周辺部位に、三角形、四角形、五角形等の図形の頂点位置を識別力を有した状態で設けられた図形識別記号とで構成しているので、複数枚のテンプレートや定規等を準備する必要がない。【０００９】  （２）前記（１）によって、従来のように複数のテンプレートや定規等を使用する煩わしさが無くなり、大幅に利便性を向上することができる。【００１０】  （３）前記（１）によって、三角形、四角形、五角形等の図形の頂点位置を識別力を有した状態で図形識別記号が設けられているので、図形識別記号を結ぶだけで所望する三角形、四角形、五角形等の図形を容易に描くことができる。【００１１】  （４）請求項２〜６も前記（１）〜（３）と同様な効果が得られる。【００１２】  （５）請求項７はベース板の裏面に滑り止め部材が設けられているので、使用時に滑らなくするとともに、ベース板と図形を描く紙等の間に程よく隙間ができるので、にじみがなく図形を描くことができる。【００１３】  （６）請求項８は定規部がベース板の両辺に設けられているので、左利きの使用者でも、所望の長さの直線を描くことができる。
【発明を実施するための最良の形態】
【００１４】  以下、図面に示す本発明を実施するための最良の形態により、本発明を詳細に説明する。
図１および図２に示す本発明を実施するための最良の第１の形態において、１は本発明の製図用具で、この製図用具１は、アクリル板、ＡＢＳ樹板等の合成樹脂材できた四角形状のベース板２と、このベース板２に形成された、所定の図形を描くことができる丸形状、楕円形状、四角形状等、本実施の形態では、大きさの異なる丸形状の複数個の透孔３と、この複数個の透孔３の周辺部位に、三角形、四角形、五角形等の図形の頂点位置を識別力を有した状態で設けられた図形識別記号としての「▲」、「■」等の図形記号４とで構成している。【００１５】  前記複数個の透孔３の周縁部位は、従来と同様に、エッジ加工やテーパー加工がされていてもよい。【００１６】  上記構成の製図用具１は、丸形状の大きさの異なる複数個の透孔３で、通常丸形状の図形を描くことができるとともに、図形識別記号としての図形記号４を参照して、前記透孔３内を、同じ図形記号４同士を定規等を利用して線で結ぶ。
例えば、「▲」の図形記号４を結ぶと、三角形を容易に描くことができる。また、「■」の図形記号４を結ぶと、四角形を容易に描くことができる。
したがって、複数のテンプレートや定規等を使用する煩わしさが無くなり、本発明の製図用具１を使用することにより、複数の異なる図形を同時に描くことができ、大幅に利便性を向上することができる。【００１７】  なお、各種建築用テンプレートにはアルファベット或いは数字等は設けられており、比較的使用する加減乗除記号、ルート記号、カッコ記号、パーセント記号等が設けられていてもよい。
また、前記ベース板２には、グリッド線が描かれてもよく、図示はしないが、カーブ形状の円弧、フローチャートやＯＣＲ等の専門的な図形、その他、従来と同様の模様や図形等を描くことができる。【００１８】  次に、図３ないし図９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。【００１９】  図３および図４に示す本発明を実施するための第２の形態において、前記本発明を実施するための最良の第１の形態と主に異なる点は、前記複数個の透孔３の周辺部位に、三角形、四角形、五角形等の図形の頂点位置を識別力を有した状態で設けられた図形識別記号としての「３」、「４」、「５」、「６」等の図形記号４Ａを用いた点で、このように構成した製図用具１Ａにしても、前記本発明を実施するための最良の第１の形態と同様な作用効果が得られる。【００２０】  図５に示す本発明を実施するための第３の形態において、前記本発明を実施するための最良の第１の形態と主に異なる点は、大きさの異なる丸形状および楕円形状の複数個の透孔３、３Ａを用いた点で、このように構成した製図用具１Ｂにしても、前記本発明を実施するための最良の第１の形態と同様な作用効果が得られる。【００２１】  図６に示す本発明を実施するための第４の形態において、前記本発明を実施するための最良の第１の形態と主に異なる点は、前記ベース板の少なくとも一片、本実施の形態では、前記ベース板の両辺部位に設けられた定規部５、５を用いた点で、このように構成した製図用具１Ｃにしても、前記本発明を実施するための最良の第１の形態と同様な作用効果が得られる。【００２２】  図７に示す本発明を実施するための第５の形態において、前記本発明を実施するための第３の形態と主に異なる点は、大きさの異なる丸形状あるいは楕円形状の前記複数個の透孔３、３Ａの周辺部位に、三角形、四角形、五角形等の図形の頂点位置を識別力を有した状態で設けられた図形識別記号としての「３」、「４」、「５」等の図形記号４Ａを用いた点で、このように構成した製図用具１Ｄにしても、前記本発明を実施するための第３の形態と同様な作用効果が得られる。
なお、本実施の形態では、大きさの異なる丸形状の前記複数個の透孔３の周辺部位に、図形識別記号としての「３」、「４」、「５」等の図形記号４Ａを設けたものについて説明したが、本実施の形態ではこれに限らず、大きさの異なる楕円形状の前記複数個の透孔３Ａに図形識別記号としての「３」、「４」、「５」等の図形記号４Ａを設けてもよい。この場合、大きさの異なる丸形状の前記複数個の透孔３の周辺部位には図形識別記号としての「▲」、「■」等の図形記号４が設けられる。
また、本実施の形態では、図形記号４、４Ａを選択的に設けてもよい。【００２３】  図８に示す本発明を実施するための第６の形態において、前記本発明を実施するための最良の第１の形態と主に異なる点は、大きさの異なる四角形状あるいは多角形状、本実施の形態では四角形状の複数個の透孔３Ｂを用いた点で、このように構成した製図用具１Ｅにしても、前記本発明を実施するための最良の第１の形態と同様な作用効果が得られる。
なお、第２の実施の形態で用いた図形識別記号としての「３」、「４」、「５」等の図形記号４Ａを用いてもよい。【００２４】  図９に示す本発明を実施するための第７の形態において、前記本発明を実施するための最良の第１の形態と主に異なる点は、前記ベース板の裏面に、使用時に滑らなくするとともに、図形を描くときに図形の線がにじまないようにすることができる滑り止め部材６を用いた点で、このように構成した製図用具１Ｆにしても、前記本発明を実施するための最良の第１の形態と同様な作用効果が得られるとともに、ベース板と紙面との間に形成される微細な隙間によってインクの滲み防止ができる。
なお、前記透孔３の周縁部位の前記滑り止め部材６は、該透孔３より大きく開口するように形成されている。【００２５】  以上、本発明の実施の形態を詳細に説明したが、本発明は、その精神または主要な特徴から逸脱することなく、他の色々な形で実施することができる。そのため、前述の実施例はあらゆる点で単なる例示にすぎず、限定的に解釈してはならない。本発明の範囲は、特許請求の範囲によって示すものであって、明細書本文には何ら拘束されない。さらに特許請求の範囲の均等範囲に属する変形や変更は、全て本発明の範囲のものである。
【産業上の利用可能性】
【００２６】  本発明は製図用具を製造、販売、使用する産業で利用される。
【図面の簡単な説明】
【００２７】
【図１】本発明を実施するための最良の第１の形態の正面図、
【図２】本発明を実施するための最良の第１の形態の底面図、
【図３】本発明を実施するための第２の形態の正面図、
【図４】本発明を実施するための第２の形態の底面図、
【図５】本発明を実施するための第３の形態の正面図、
【図６】本発明を実施するための第４の形態の正面図、
【図７】本発明を実施するための第５の形態の正面図、
【図８】本発明を実施するための第６の形態の正面図、
【図９】本発明を実施するための第７の形態の底面図。
【符号の説明】
【００２８】１、１Ａ〜１Ｆ：製図用具、
２：ベース板、
３、３Ａ、３Ｂ：透孔、
４、４Ａ：図形記号、
５：定規部、
６：滑り止め部材。
【図１】
2008087450.tif 000003
【図２】
2008087450.tif 000004
【図３】
2008087450.tif 000005
【図４】
2008087450.tif 000006
【図５】
2008087450.tif 000007
【図６】
2008087450.tif 000008
【図７】
2008087450.tif 000009
【図８】
2008087450.tif 000010
【図９】
2008087450.tif 000011
【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
アクリル板、ＡＢＳ樹板等の合成樹脂材できたベース板と、このベース板に形成された、丸形状、楕円形状、四角形状等の所定の図形を描くことができる大きさの異なる複数個の透孔と、この複数個の透孔の周辺部位に、三角形、四角形、五角形等の図形の頂点位置を識別力を有した状態で設けられた図形識別記号とで構成されていることを特徴とする製図用具。
【請求項２】
アクリル板、ＡＢＳ樹板等の合成樹脂材できたベース板と、このベース板に形成された、丸形状、楕円形状、四角形状等の所定の図形を描くことができる大きさの異なる複数個の透孔と、この複数個の透孔の周辺部位に、三角形、四角形、五角形等の図形の頂点位置を識別力を有した状態で設けられた図形識別記号と、前記ベース板の少なくとも一片に設けられた定規部とで構成されていることを特徴とする製図用具。
【請求項３】
前記図形識別記号は図形毎に識別できる図形記号であることを特徴とする請求項１、２のいずれかに記載の製図用具。
【請求項４】
前記図形識別記号は図形毎に識別できる数字であることを特徴とする請求項１、２のいずれかに記載の製図用具。
【請求項５】
前記複数個の透孔は、円形状、楕円形状、四角形状、多角形状のいずれか１つを設けたことを特徴とする請求項１、２のいずれかに記載の製図用具。
【請求項６】
前記複数個の透孔は、円形状、楕円形状、四角形状、多角形状を選択的に組み合わせて設けていることを特徴とする請求項１、２のいずれかに記載の製図用具。
【請求項７】
前記ベース板の裏面に、使用時に滑らなくするとともに、図形を描くときに図形の線がにじまないようにすることができる滑り止め部材を設けたことを特徴とする請求項１、２のいずれかに記載の製図用具。
【請求項８】
前記定規部は、前記ベース板の両辺に設けたことを特徴とする請求項２に記載の製図用具。